(57)【特許請求の範囲】
【請求項１】
開閉可能な状態に形成されると共に、常に開いた状態に付勢された２個のアームを含むく字状のアーム本体であり、少なくとも土中に埋設される基礎アームと、開く方向に作動する作動アームと、を含むアーム本体と、
作動アームの先端側と基礎アームとに係合し一端側が動物の脚の踏抜きにより作動する踏抜装置と協働して動物の仕掛け罠を形成する捕獲ロープと、
捕獲ロープの先端が仕掛け罠を形成する状態で作動アームを通係した捕獲ロープを基礎アームの任意の位置で固定する可動固定部と、を有し、
土中の基礎アームの先端側に取り付けられ作動アームの開作動時に付勢作動を支持する支持手段と、を含むことを特徴とする捕獲罠装置。
【請求項２】
支持手段は、基礎アームの先端側に着脱可能に取り付けられ基礎アームの断面サイズより大きな部位を有する基台であることを特徴とする請求項１記載の捕獲罠装置。
【請求項３】
支持手段は基礎アームに対して着脱交換自在に取り付けられていることを特徴とする請求項１又は２記載の捕獲罠装置。
【請求項４】
作動アームの先端側には捕獲ロープを円滑に通係させる転動ローラ機構が設けられていることを特徴とする請求項１ないし３のいずれかに記載の捕獲罠装置。
【請求項５】
アーム本体の２個のアームの一端側はそれぞれ１つのコイル状ばねに連結されて一体的に形成されていることを特徴とする請求項１ないし４のいずれかに記載の捕獲罠装置。
【請求項６】
捕獲ロープの一端側は、弦巻ばねのコイル孔に接続した環状索条に連携されていることを特徴とする請求項１ないし５のいずれかに記載の捕獲罠装置。
【発明の詳細な説明】
【技術分野】
【０００１】
本発明は、動物等の捕獲罠装置に関する。
【背景技術】
【０００２】
従来、イノシシ、サル、シカ等の野生動物による農作物被害が問題となっており、これによって地域の経済損失を生じさせ、さらには農家の営農意欲を奪って工作放棄地の発生の一因ともなっていた。野生動物被害を防止すべく、電気柵を含む柵、防護ネット、トウガラシ爆弾、音声防除機器設置、忌避剤噴霧及び警戒システム等設置等の手段が講じられている。これらはいずれもある程度の広さの区画スペースを保守するために設備、機器等が大掛かりにならざるを得ず、機器導入時の設置者側に大きなコスト負担を生じる。これに対して１匹（頭）をターゲットにした動物の捕獲用罠が従来から知られており、被害を生じさせる獣類の捕獲と共に捕獲後の肉が食材にもなる点から、根強い利用者の支持がある。
【０００３】
動物の捕獲用罠について、従来、特許文献１に示すものが提案されている。
【先行技術文献】
【特許文献】
【０００４】
【特許文献１】特開２００３−９２９７４号公報
【発明の概要】
【発明が解決しようとする課題】
【０００５】
特許文献１は開閉可能で常に開状態に付勢されたく字状のアーム本体と、アーム本体のそれぞれの先端部に取り付けた捕獲ロープと、捕獲ロープをその外周囲に巻廻した踏抜筒と、踏抜筒を収納する筒受けとを備えた踏抜き装置と、アーム本体を一定の範囲内に拘束する固定ロープと、で構成され、これによって罠に入った動物の脚部を確実に捕獲し、衝撃を吸収しようとするものである。
【０００６】
この捕獲罠は構造も簡単で低コストの罠を構成可能であるが、弦巻ばねの両端の２個のアームを土中に埋設して罠を仕掛けて安全装置のフックを取り外した場合、土中でアームが暴れて踏抜き装置の捕獲ロープを効率よく絞る方向に力が働かない場合が多い上に、その力のロスのために捕獲ロープを絞り切って動物の脚を捕捉するまでの極めて短い時間中でも時間がかかり動物の捕獲率が低いという問題があった。
【０００７】
本発明は上記従来の課題に鑑みてなされたものであり、その一つの目的は、構造が簡単
で低コストでありながら無駄のないアームの迅速作動により捕獲率を大幅に向上させる
ことのできる捕獲罠装置を提供することである。
【課題を解決するための手段】
【０００８】
上記課題を解決するために本発明は、開閉可能な状態に形成されると共に、常に開いた状態に付勢された２個のアームを含むく字状のアーム本体１０であり、少なくとも土中に埋設される基礎アーム１２と、開く方向に作動する作動アーム１４と、を含むアーム本体１０と、作動アーム１４の先端側と基礎アーム１２とに係合し一端側が動物の脚の踏抜きにより作動する踏抜装置５０と協働して動物の仕掛け罠１００を形成する捕獲ロープ２０と、捕獲ロープ２０の先端が仕掛け罠１００を形成する状態で作動アーム１４を通係した捕獲ロープを基礎アーム１２の任意の位置で固定する可動固定部３０と、を有し、土中の基礎アーム１２の先端側に取り付けられ作動アーム１４の開作動時に付勢作動を支持する支持手段９０と、を含む捕獲罠装置１から構成される。
【０００９】
その際、支持手段９０は、基礎アーム１２の先端側に着脱可能に取り付けられ基礎アームの断面サイズより大きな部位を有する基台９１であるとよい。
【００１０】
また、支持手段９０は基礎アーム１２に対して着脱交換自在に取り付けられていてもよい。
【００１１】
また、作動アーム１４の先端側には捕獲ロープ２０を円滑に通係させる転動ローラ機構３６が設けられているとよい。
【００１２】
さらに、アーム本体１０の２個のアーム１２，１４の一端側はそれぞれ１つのコイル状ばね１６に連結されて一体的に形成されているとよい。
【００１３】
また、捕獲ロープ２０の一端側は、弦巻ばね１６のコイル孔１６ａに接続した環状索条６０に連携されているとよい。
【発明の効果】
【００１４】
本発明の捕獲罠装置によれば、構造が簡単で低コストでありながらイノシシ、サル、シカ等動物の捕獲率を大幅に向上させることが可能である。
【図面の簡単な説明】
【００１５】
【図１】本発明の実施形態に係る捕獲罠装置の概略構成説明図である。
【図２】図１の装置の捕獲輪形成装置を説明する説明図である。
【図３】図１の装置の要部を示す要部拡大一部省略説明図である。
【図４】図１の装置の作動アームの作動態様を示す作用説明図である。
【図５】図１の装置の作動アームの作動完了状態を示す要部拡大説明図である。
【発明を実施するための形態】
【００１６】
以下、添付図面を参照しつつ本発明の捕獲罠装置の一実施形態について説明する。
【００１７】
本発明の捕獲罠装置は種々の獣類動物の捕獲に用いられる罠手段であり、例えばイノシシ、サル、シカ等の農作物被害を与える野生動物等の捕獲に特に有効である。図１ないし図５は本発明の捕獲罠装置の一実施形態を示しており、図１において、捕獲罠装置１は、アーム本体１０と、捕獲ロープ２０と、可動固定部３０と、支持手段９０と、を含む。
【００１８】
アーム本体１０は、少なくとも一端側が常時開く方向に付勢された付勢アーム機構からなり、罠のセット状態では踏抜装置と捕獲ロープの緊張や土中での土等との摩擦に遮られて付勢作動を阻止された状態を保持しつつ、開放作動時には作動制止のロックが解除されて付勢機構により瞬時に開放作動する。
【００１９】
実施形態において、アーム本体１０は、基礎アーム１２と作動アーム１４の２個のアームを有し、各アームの一端側が共通の弦巻ばね１６に連結されている。基礎アーム１２と作動アーム１４は、一端側を弦巻ばね１６の端部にそれぞれ一体連結され、それぞれのアームの他端側は自由端とされる。各アーム１２，１４は、弦巻ばね１６により開閉移動するように設定されている。
【００２０】
弦巻ばね１６は、断面円形や長方形の金属、複合材料、プラスチック等からなる素線をコイル状に巻いたばね機構であり、本実施形態において、コイルの中心線まわりにねじりモーメントを受ける金属製のねじりコイルばねが用いられている。
【００２１】
図１において、基礎アーム１２は罠のセット時には土中に埋設され作動アーム１４が作動する際に付勢力を支持する。基礎アーム１２は、罠を仕掛ける際にアームの長手を地面に沿うようにして土中（地表から数センチメール〜数十センチメートル程度）に埋設される。なお、図１は捕獲罠装置の罠を仕掛けてまさに動物等の踏抜動作を待っている状態を示している。罠を仕掛けた状態は仕掛ける現地の場所にもよるが基礎アーム１２と作動アーム１４の基部側の角度とは平行ではなく例えば３０度程度の角度でセットされる場合が通常である。この角度は現地の地勢状態により変動する。図１は、作動前の各アームの状態の理解を容易にするために各アームを平行に表示しているが、実際に仕掛けた状態での角度変化は様々の態様があり得る。
【００２２】
作動アームは、弦巻ばね１６の他の端部に一端側を一体連結され、弦巻ばね１６を中心に基礎アーム１２に対して先端側が近接、離開自在に設けられ、かつ弦巻ばねにより弦巻ばねとの接合部分を中心に常時離開方向に付勢されている。
【００２３】
捕獲ロープ２０は、後述する踏抜装置５０と協働して動物の仕掛け罠１００を形成する直接の捕獲具であり、捕獲ロープ２０は強度の点から数ミリメートル程度の直径のワイヤロープが好適であり、実施形態では４ミリメートル直径のワイヤロープが用いられている。捕獲ロープ２０は、作動アーム１４の先端側と基礎アーム１２とに係合する。すなわち、捕獲ロープ２０は、付近の構造物等に一端を固定し、その先端側を仕掛け罠１００用の捕獲具として用いられる。実施形態において、例えば付近の立木２１の幹に捕獲ロープの一端側を巻着け締結して固定して固定側２１ｆとし、他端側を延設させて仕掛け罠１００を構成している。
【００２４】
図１、図３において、固定側２１ｆから延長した捕獲ロープ２０は、その一部が基礎アーム１２に係合し、さらにその延長部分が作動アーム１４に係合しつつ先端部のループ部分で動物の脚等を捕獲する。
【００２５】
捕獲ロープ２０は可動固定部３０において、基礎アーム１２と係合する。可動固定部３０は、捕獲ロープ２０を基礎アーム１２の任意の位置で固定する固定手段であり、可動固定部３０は、基礎アーム２１に貫通されてその長手方向に沿って移動自在であるとともに、捕獲ロープを挿通させる図示しない挿通孔を有する移動機体３１と、捕獲ロープと基礎アームに対する移動機体３１を所要の位置でロック固定する固定ビス・蝶ナット等からなる締結装置３２と、を含む。なお、図１中３３は、ロープの中間接続部である。中間接続部３３より固定端側２１ｆの捕獲ロープは繊維ロープでもよい。可動固定部３０は基礎アーム１２と作動アーム１４間の捕獲ロープの長さを任意に設定して踏抜装置５０にセットしアーム本体１０を閉縮維持した状態で制止位置と状態を調整させる。すなわち、可動固定部３０自体が基礎アーム１２に沿って移動可能であり基礎アーム１２の長手方向任意の位置で適度の緊張状態で捕獲ロープ２０を基礎アーム１２に対して固定させる。
【００２６】
捕獲ロープ２０は立木への固定側２１ｆから連続する索条体であるが固定側から基礎アーム１２の任意の位置で係合し、さらにその延長端側が作動アーム１４の自由端先端側に設置された係合部３５において係合する。実施形態において、作動アーム１４の先端部分には転動ローラ機構３６が取り付けられている。転動ローラ機構３６は、捕獲ロープ２０を作動アーム１４の先端部分での係合移動時に円滑にローラとの間で挟装させて捕獲ロープ２０を通係させる通係手段であり、該転動ローラ機構３６は作動アーム１４の先端部分に固定された軸支部３７と軸支部３７の支軸に回動自在に取り付けられた案内溝３９付きのローラ３８と、を含む。そして、可動固定部３０からさらに延長した捕獲ロープ２０は作動アーム１４の先端部分とローラ３８の案内溝との間である案内溝に係合しつつ作動アーム１４のさらに先端側に引き出される。なお、図３中１５は装置搬送時等に用いられる閉縮状態保持用の安全装置である。
【００２７】
図２、３において、作動アーム１４の先端部から延長する捕獲ロープ２０は捕獲輪形成機構４０に係合しつつロープの端部において仕掛け罠１００のセット状態において動物の脚等の捕獲用リング１００ｒを形成する。
【００２８】
図２において、捕獲輪形成機構４０は、機体に捕獲ロープの先端側を止めた状態でロープの他端側で輪を形成しその他端側を機体の他の部分に通係させて作動アームの先端部分側からさらに延長する捕獲ロープの先端側で捕獲輪を形成する手段である。実施形態において、捕獲輪形成機構４０は、機体としてのコ字板状の金具４１と、コ字板の隣接２側板に設けた通係孔４２と、を備えている。そして、作動アーム１４側から延長した捕獲ロープは金具４１の通係孔４２を通係し、さらに該ロープの先端は金具４１の他部に設けた止め孔４３を通して端部に加締め拡大部を形成して抜け止め連結している。捕獲ロープ２０がワイヤロープの場合、金具４１の通係孔４２を挿通してロープが移動する際、金具とワイヤロープとの摩擦や当接角度等の具合によりある程度の抵抗をもって移動する。
【００２９】
捕獲ロープ２０の先端側は踏抜装置５０と協働して動物の仕掛け罠１００を形成する。踏抜装置５０は、中空円筒形の受筒５１と、受筒より小形の中空円筒体であって受筒５１より高さが低く受筒５１内に上下移動自在に設けられた踏抜筒５２と、を含む。そして、受筒５１の上端から少し高い高さで踏抜筒５２を配置し、その状態で受筒５１の上端から上方に突設した踏抜筒の円筒部分に捕獲輪形成機構４０の捕獲輪を絞って係止させ、この状態で仕掛け罠１００をセットする。
【００３０】
本発明において、一つの特徴的なことは、土中の基礎アーム１２の先端側に取り付けられた支持手段９０を設けたことである。支持手段９０は、作動アーム１４の開作動時に付勢作動を支持する。支持手段９０は、基礎アーム１２の断面サイズより大きな部位を有する基台９１であり、実施形態において、長矩形の軽金属箱体９１ａが基礎アーム１２の先端に固定されている。軽金属箱体９１ａは、基礎アーム１２の断面サイズより大きな高さと幅を側面に有する直方体形状の立体物であり、内部に適宜の金属部材等が収容されている。実施形態において、上下面を地面に平行となるように配置し、厚み側の側壁の略中央に基礎アーム１２の先端が固着されている。これによって、土中で基礎アーム１２が安定し、かつ、作動アームの作動付勢力を確実に支持するのでアームが暴れて動物を捕捉できなかったり、作動アームの作動を遅延させることがなく、踏抜き装置の捕獲ロープを効率よく絞る方向に力を働かせ得る。実施形態の例に限らず、支持手段９０は、中実の金属製で円筒、円柱、その他任意の立体形状であるとよい。また、剛性の構造でなくとも、基礎アーム１２の先端側に連結固定されて作動アームの付勢力を支持させ得るものであれば、柔軟性を有する不定形の埋設物であってもよい。さらに、図示しないが支持手段９０は、基礎アーム１２の先端部分に対して差し込み、螺合、挟み付けその他の方法により着脱交換自在に取り付けられると付勢力調整や装置全体の軽量化のための重量調整等を簡単に行えて好ましい。基台９１が対向する２面を有する平板状台の場合、各面は地面に略平行な状態で基礎アーム１２の先端に固定させることにより、作動アームの作動方向が地面に直交する方向に近くなるか、又は作動方向が安定するので好ましい。
【００３１】
さらに、捕獲ロープ２０の一端側は、弦巻ばねのコイル孔１６ａに接続した環状索条６０に連携されている。実施形態において、環状索条６０は、弦巻ばねのコイル孔１６ａを通してリング状に形成されており、この環状索条６０のリングの内側を捕獲ロープ２０が通係している。これによって、作動アーム１４の作動により捕獲罠装置全体が大きく飛ばされるような力を受けても捕獲ロープ２０の近傍に装置全体は留められて回収を確実に行える。
【００３２】
次に、図を参照しつつ本発明の捕獲罠装置１の実施形態の作用について説明すると、図１は捕獲罠装置１をセットした状態の説明図であり、野生動物による知覚を避けるためアーム本体はほとんど土中に埋設されるか、あるいは一部埋設で装置の露出部分に木切れや植物の葉Ｇや泥などを被せて装置全体は目に触れないように隠してセットされる。
【００３３】
仕掛け罠１００のセット状態では、受筒５１から数センチメートル程度踏抜筒５２の上端を突出させた状態でその突出部分において、捕獲輪形成機構４０のコ字状金具４１から引き出して形成した捕獲用ロープ２０の捕獲用リング１００ｒを周囲に掛け回し可動固定部３０との間である程度のロープの緊張状態で保持させる。踏抜筒５２は通常は受筒５１内で落下して着底するが、捕獲用ロープ２０が上端側に掛け回されている状態では該ロープの直径ぶんの突出部分のために落下が制止されている。なお、この際、爪楊枝のような小係止杆を用いて予め設けた通し溝等に差し入れて落下作動調整を行えるようにしてもよい。
【００３４】
この状態で動物が踏抜装置５０の踏抜筒５２上を通過する際、踏抜筒５２上に脚等が載り捕獲ロープ２０の捕獲用リング１００ｒと踏抜筒５２とによる係止力を上回る荷重がかかると踏抜筒５２は下方に落下し、このとき弦巻ばね１６による開方向付勢力のため作動アーム１４の先端側が基礎アーム１２の先端側から離開方向に強い力で瞬間的に開作動する。すると、図４に示すように動物の脚Ｌを周回させた状態の捕獲用リング１００ｒが輪の径を急激に絞りながら脚を捕捉する。作動アーム１４は最終的には、図５に示すように弦巻ばね１６部分を中心に開放し、この状態でロープの捕獲用リング１００ｒを最小に絞り込み動物の脚を確実に捕捉する。
【００３５】
動物の脚の荷重により踏抜筒５２が落下し作動アーム１４が作動する際、支持手段９０の基台９１は作動アーム１４の開作動の反作用を確実に受け、作動アームの付勢力を支持する。支持手段としての基台９１は、基礎アーム１２の断面サイズより大きな部位を有するため、地中にあって作動アームからの反発力を確実に受け止め弦巻ばね１６の大きなばね付勢作用を生起させて作動アームを作動させるため、踏抜装置の作動から作動アームの開作動時間が大幅に縮小され捕獲対象動物を確実に捕獲することが可能である。
【００３６】
以上説明した捕獲罠装置は、構造が簡単で低コストでありながら無駄のないアームの迅速作動により野生動物等の捕獲率を飛躍的に向上させることができる。
【００３７】
以上説明した本発明の捕獲罠装置は、上記した実施形態のみの構成に限定されるものではなく、特許請求の範囲に記載した発明の本質を逸脱しない範囲において行った任意の改変も本発明に含まれる。
【産業上の利用可能性】
【００３８】
本発明の捕獲罠装置は、農作物被害の野生動物に限らず、生きた状態で捕獲可能であるから、動物の保護管理のための捕獲、その他任意の目的の動物の捕獲に用いて
利用することができる。
【符号の説明】
【００３９】
１  捕獲罠装置
１０  アーム本体
１２  基礎アーム
１４  作動アーム
１６  弦巻ばね
２０  捕獲ロープ
３０  可動固定部
３６  転動ローラ機構
３８  ローラ
４０  捕獲輪形成機構
５０  踏抜装置
５２  踏抜筒
９０  支持手段
９１  基台
１００  仕掛け罠
Ｌ  動物の脚
【要約】      （修正有）【課題】構造が簡単で低コストでありながら無駄のないアームの迅速作動により捕獲率を大幅に向上させる捕獲罠装置を提供する。【解決手段】捕獲罠装置１は、常に開いた状態に付勢されたく字状のアーム本体であり、少なくとも土中に埋設される基礎アーム１２と、開く方向に作動する作動アーム１４と、を含むアーム本体１０と、踏抜装置５０と協働して動物の仕掛け罠１００を形成する捕獲ロープ２０と、捕獲ロープの先端が仕掛け罠を形成する状態で作動アーム１４を通係した捕獲ロープ２０を基礎アーム１２の任意の位置で固定する可動固定部３０と、土中の基礎アーム１２の先端側に取り付けられ作動アームの開作動時に付勢作動を支持する支持手段９０と、を含む。作動アームの作動を迅速、確実に行い野生動物等の捕獲率を飛躍的に向上させ得る。【選択図】図１【図１】
0006815553.tif 000002
【図２】
0006815553.tif 000003
【図３】
0006815553.tif 000004
【図４】
0006815553.tif 000005
【図５】
0006815553.tif 000006